(57)【要約】      （修正有）【課題】蛇口を止水する過程において発生する騒音や震動などによる衝撃を緩和することができる節水弁を提供する。【解決手段】蛇口の吐水端に装着されると共に、ベース１０と、制御部材２０と、緩衝部材とを有するものであり、使用者が制御部材２０を押し上げることによって、蛇口の吐水、或いは、止水を制御できる、また、その緩和部材３０によって、止水過程において発生する騒音や震動などを緩和することができる、使用寿命を延ばし、水の流れから起こる圧力差も減少させることができる。【選択図】図２
0003182863.tif 000002
【実用新案登録請求の範囲】
【請求項１】
収容孔が形成されるベースと、
当接ロッドを備えると共に、前記ベースの収容孔に設置される制御部材と、
流水孔及び上面に凸設される突出部を備えると共に、選択可能に前記当接ロッドにより封止される受け体と、中央が上方に向かって盛り上がる円盤体を呈し、内径が、対応する該突出部の外径よりやや大きく、それら該突出部と係合孔とを介して該受け体に設置される載置体と、該載置体に設置され、流水貫通孔と、底面中央に形成される凹部と、側壁に形成され、該凹部と連通する通水路を含むる流水部材とからなる緩衝部材と、を有することを特徴とする節水弁。
【請求項２】
前記受け体の上面内周縁に環状溝が形成されると共に、前記載置体の外縁に該環状溝と対応するフランジが形成されることを特徴とする請求項１に記載の節水弁。
【請求項３】
前記流水部材の上面に調整プレートが設置されることを特徴とする請求項１に記載の節水弁。
【請求項４】
前記流水部材の上面に調整プレートが設置されることを特徴とする請求項２に記載の節水弁。
【請求項５】
前記流水部材の上面に組立歯部が形成され、
前記調整プレートに該組立歯部と対応する組立凸部が設けられることを特徴とする請求項３に記載の節水弁。
【請求項６】
前記流水部材の上面に組立歯部が形成され、
前記調整プレートに該組立歯部と対応する組立凸部が設けられることを特徴とする請求項４に記載の節水弁。
【請求項７】
前記ベースは、発泡ヘッドを有し、該発泡ヘッドは、底部の中央に貫通孔が穿設され、該貫通孔の周囲に放射状、且つ格子状を呈する吐水孔が形成されると共に、外周面に段差面が形成され、該段差面に空気進入孔が間隔をおいて形成されることを特徴とする請求項1乃至６の何れか１項に記載の節水弁。
【請求項８】
前記制御部材は、弁体と、押圧ロッドと、回転ロッドと、当接ロッドとを備え、その内、該弁体は、止め歯及びガイド溝を有し、該押圧ロッドは、該弁体の管体に挿入され、上部につめ歯が形成されると共に、該つめ歯の外側面に、該弁体のガイド溝と対応する複数のガイド部が凸設され、該回転ロッドは、該押圧ロッドに設置され、上部の外周面に、該押圧ロッドのつめ歯或いは弁体の止め歯と対応する複数の翼部が凸設され、該当接ロッドは、該回転ロッドに設置されることを特徴とする請求項１乃至６の何れか１項に記載の節水弁。
【請求項９】
前記制御部材は、弁体と、押圧ロッドと、回転ロッドと、当接ロッドとを備え、その内、該弁体は、止め歯及びガイド溝を有し、該押圧ロッドは、該弁体の管体に挿入され、上部につめ歯が形成されると共に、該つめ歯の外側面に、該弁体のガイド溝と対応する複数のガイド部が凸設され、該回転ロッドは、該押圧ロッドに設置され、上部の外周面に、該押圧ロッドのつめ歯或いは弁体の止め歯と対応する複数の翼部が凸設され、該当接ロッドは、該回転ロッドに設置されることを特徴とする請求項７に記載の節水弁。
【請求項１０】
前記流水部材を前記ベースに位置決めるためのカバーを有し、該カバーは、保持体と、該保持体の上部に設置される蓋体とを備えることを特徴とする請求項１乃至６の何れか１項に記載の節水弁。
【請求項１１】
前記流水部材を前記ベースに位置決めるためのカバーを有し、該カバーは、保持体と、該保持体の上部に設置される蓋体とを備えることを特徴とする請求項７に記載の節水弁。
【請求項１２】
前記流水部材を前記ベースに位置決めるためのカバーを有し、該カバーは、保持体と、該保持体の上部に設置される蓋体とを備えることを特徴とする請求項８に記載の節水弁。
【請求項１３】
前記流水部材を前記ベースに位置決めるためのカバーを有し、該カバーは、保持体と、該保持体の上部に設置される蓋体とを備えることを特徴とする請求項９に記載の節水弁。
【考案の詳細な説明】
【技術分野】
【０００１】
本考案は、特に止水過程において発生する騒音や震動などを緩和することができる節水弁に関するものである。
【背景技術】
【０００２】
従来の水管制御弁は、簡単な構成であり、蛇口の上部に取り付けて蛇口の開閉を制御するものである。この構成によれば使用者は、物を洗った後、手で制御弁を閉じる操作を行う必要があるので、水資源の無駄に繋がっていた。
【０００３】
前記問題を解決するために、近年、自動水栓が開発された。この自動水栓には赤外線センサーが取り付けられており、使用時に、手を蛇口に近づけると、赤外線センサーが感知して蛇口から吐水され、使用後に、手を蛇口から遠ざければ、吐水が自動的に停止する仕組みであるので、節水効果が期待できる。しかしながら、既存の自動水栓における赤外線センサーは、感知範囲に制限があることから、使用者が手を何度蛇口の前方に接近させても感知されない場合もあるので、使用上非常に不便であった。
【０００４】
このような事情があったことから、その後、図６及び図７に示すような節水弁が開発された。この節水弁は、パイプの吐水端に装着され、ベース６０と、該ベース６０に設置される制御部材７０とを有するものであり、この構成によれば、その制御部材７０を押すことによって、吐水または止水を制御することができるので、操作が簡単であると共に、節水効果にも優れていた。
【考案の概要】
【考案が解決しようとする課題】
【０００５】
しかしながら、既存の節水弁は、制御部材を押して止水した後も、パイプ内部の水が吐水端へ流れ続けることから、その流れ続ける水によって、パイプが震動して騒音を発生させると共に、場合によってはパイプを破壊してしまう虞があり、また、既存の節水弁は、水圧によって制御されるので、水圧が大きい時、制御部材を押し難く、使用上、不便であるといった問題があった。
【課題を解決するための手段】
【０００６】
本考案に係る節水弁は、収容孔が形成されるベースと、当接ロッドを備えると共に、前記ベースの収容孔に設置される制御部材と、流水孔及び上面に凸設される突出部を備えると共に、選択可能に前記当接ロッドにより封止される受け体と、中央が上方に向かって盛り上がる円盤体を呈し、内径が、対応する該突出部の外径よりやや大きく、それら該突出部と係合孔とを介して該受け体に設置される載置体と、該載置体に設置され、流水貫通孔と、底面中央に形成される凹部と、側壁に形成され、該凹部と連通する通水路を含むる流水部材とからなる緩衝部材と、を有するものである。
【０００７】
前記受け体の上面内周縁に環状溝が形成されると共に、前記載置体の外縁に該環状溝と対応するフランジが形成されることが好ましい。
【０００８】
前記流水部材の上面に調整プレートが設置されることが好ましい。
【０００９】
前記流水部材の上面に組立歯部が形成され、
前記調整プレートに該組立歯部と対応する組立凸部が設けられることが好ましい。
【００１０】
前記ベースは、発泡ヘッドを有し、該発泡ヘッドは、底部の中央に貫通孔が穿設され、該貫通孔の周囲に放射状、且つ格子状を呈する吐水孔が形成されると共に、外周面に段差面が形成され、該段差面に空気進入孔が間隔をおいて形成されることが好ましい。
【００１１】
前記制御部材は、弁体と、押圧ロッドと、回転ロッドと、当接ロッドとを備え、その内、該弁体は、止め歯及びガイド溝を有し、該押圧ロッドは、該弁体の管体に挿入され、上部につめ歯が形成されると共に、該つめ歯の外側面に、該弁体のガイド溝と対応する複数のガイド部が凸設され、該回転ロッドは、該押圧ロッドに設置され、上部の外周面に、該押圧ロッドのつめ歯或いは弁体の止め歯と対応する複数の翼部が凸設され、該当接ロッドは、該回転ロッドに設置されることが好ましい。
【００１２】
前記流水部材を前記ベースに位置決めるためのカバーを有し、該カバーは、保持体と、該保持体の上部に設置される蓋体とを備えることが好ましい。
【考案の効果】
【００１３】
本考案に係る節水弁は上記の課題を解決するものであり、載置体３２が水圧を受けて変形しながら流水部材３３を封止する時、載置体３２の変形がゆっくりと進行していくことから、止水の過程において発生する騒音や震動などを緩和し、水流により発生する圧力差も減少させるので、パイプを破壊せずに使用寿命を延ばすことができる。
【図面の簡単な説明】
【００１４】
【図１】本考案に係る節水弁を蛇口に装着した状態を示す斜視透視図である。
【図２】本考案に係る節水弁の分解斜視図である。
【図３】本考案に係る節水弁における止水状態を示す断面図である。
【図４】本考案に係る節水弁における吐水状態を示す断面図である。
【図５】本考案に係る節水弁における流水部材の斜視図である。
【図６】従来の節水弁の部分斜面断面図である。
【図７】従来の節水弁の部分分解斜視図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１乃至図３に示すように、本考案に係る節水弁は、ベース１０と、制御部材２０と、緩和部材３０と、カバー４０とを有する。
【００１７】
その内、該ベース１０は、管体１１と、発泡ヘッド１２とを備え、該管体１１は、中央に上部内径が下部内径より大きい段差状の収容孔１１１が形成され、該収容孔１１１の上部と下部との間に段差面１１２が形成されると共に、該管体１１の外周面にネジ山１１３が形成され、また、該発泡ヘッド１２は、該管体１１の収容孔１１１に設置され、底部の中央に貫通孔１２１が穿設され、該貫通孔１２１の周囲に放射状、且つ格子状を呈する吐水孔１２２が形成されると共に、外周面に、該管体１１の段差面１１２と対応する段差面１２３が形成され、該段差面１２３に空気進入孔１２４が間隔をおいて形成される。
【００１８】
前記制御部材２０は、前記ベース１０の収容孔１１１に設置され、弁体２１と、押圧ロッド２２と、回転ロッド２３と、当接ロッド２４とを備え、その内、該弁体２１は、円環体２１１と、該円環体２１１の中央下面に延設される管体２１２と、該円環体２１１に穿設される複数の流水孔２１３と、該管体２１２の内壁に形成される止め歯２１４及びガイド溝（図示せず）と、該止め歯２１４の間に形成される大歯溝２１５及び小歯溝２１６と、該管体２１２に周設される吐水網体２１７とを有する。
【００１９】
前記押圧ロッド２２は、底部が該弁体２１の外部から突出するように、前記弁体２１の管体２１２に挿入され、上部につめ歯２２１が形成されると共に、該つめ歯２２１の外側面に、前記弁体２１のガイド溝と対応する複数のガイド部２２２が凸設され、更に、中央に段差状の通過孔２２３が穿設され、該通過孔２２３の周囲に段差面２２４が形成され、底端に押しヘッド２２５が取り付けられる。
【００２０】
前記回転ロッド２３は、前記押圧ロッド２２の通過孔２２３に設置され、中央に貫通孔２３１が形成されると共に、上部外周面に、前記押圧ロッド２２のつめ歯２２１或いは弁体２１の止め歯２１４の大歯溝２１５或いは小歯溝２１６と係合する複数の翼部２３２が凸設され、該押圧ロッド２２の底端に、段差面２２４と係合する複数の凸部２３３が凸設される。
【００２１】
前記当接ロッド２４は、前記回転ロッド２３の貫通孔２３１に挿入され、ヘッド部２４１と、該ヘッド部２４１の底面に延設されるシャフト部２４２と、該ヘッド部２４１とシャフト部２４２との隣接箇所に形成される複数の係合部２４３とを備え、該ヘッド部２４１の外径は、該シャフト部２４２の外径より大きい設計となっている。
【００２２】
前記緩和部材３０は、受け体３１と、載置体３２と、流水部材３３とを備え、該受け体３１は、中央に向かって凹んでいる円盤体であり、中央に流水孔３１１が穿設され、上面に突出部３１２が凸設され、上面内周縁に環状溝３１３が形成され、さらに、中央にリング３１４が取り付けられる。
【００２３】
前記載置体３２は、前記受け体３１に設置され、中央に向かって盛り上がる円盤体を呈する、弾性を有する材質（例えば、ゴム）からなり、該受け体３１の突出部３１２に係合されると共に、内径が前記突出部３１２の外径より略大きい係合孔３２１を有し、外縁に、前記受け体３１の環状溝３１３に係合されるフランジ３２２が形成される。
【００２４】
図５に示すように、前記流水部材３３は、前記載置体３２に設置され、軸方向に沿って流水貫通孔３３１が形成され、底面中央に凹部３３２が形成され、該凹部３３２の中央に当接凸部３３３が突設され、側壁に該凹部３３２と連通する通水路３３４が穿設され、底面外縁に、該載置体３２のフランジ３２２に係合される環状凹部３３５が凹設される。尚、図に示す実施例においては、２つの流水貫通孔３３１が穿設されると共に、２つの通水路３３４が穿設されることが好ましい。また、前記流水部材３３の上面に組立歯部３３６が形成され、該組立歯部３３６に嵌設される組立凸部３３８を有する調整プレート３３７が設置され、その組立凸部３３８を組立歯部３３６に嵌設する位置によって、流水部材３３の流水貫通孔３３１の吐水量を調整し、更に、該調整プレート３３７の上方に錐状の濾過網体３３９が設置される。
【００２５】
前記カバー４０は、保持体４１と、該保持体４１の上部に設置される蓋体４２とを備え、前記流水部材３３を位置決めるように前記ベース１０に設置される。
【００２６】
本考案に係る節水弁を組み立てる時は、先ず押圧ロッド２２が貫通孔１２１を通って発泡ヘッド１２の下部へ突出するように制御部材２０をベース１０の収容孔１１１に設置すると共に、制御部材２０の当接ロッド２４を緩和部材３０の受け体３１のリング３１４及び流水孔３１１に通するように緩和部材３０を制御部材２０に設置し、緩和部材３０の流水部材３３を位置決め固定するように、カバー４０をベース１０の上部に設置する。
【００２７】
最後に、図１及び図４に示すように、がネジ山１１３により管体１１をパイプ５０の吐水端に螺合する。本考案に係る節水弁の構成によれば、吐水状態の時、水道水がパイプ５０から入ると、濾過網体３３９、入水体３３の流水貫通孔３３１、流水部材３３の通水路３３４、弁体２１の流水孔２１３、吐水網体２１７を順に通過して、発泡ヘッド１２の吐水孔１２２から吐水されるが、水道水が流れ出る時に、水の流れにより発生する気圧差によって、空気が発泡ヘッド１２の空気進入孔１２４に引き込まれて水と混ざり、即ち、水に空気の泡が混ざり込んでから流れ出すので、節水することができる。
【００２８】
図３に示すように、本考案に係る節水弁を操作して止水する時は、先ず押しヘッド２２５を押し上げて押圧ロッド２２を上方へ移動させ、その押圧ロッド２２の上昇によって、押圧ロッド２２に連動するように回転ロッド２３を一緒に上方へ移動させながら回転させ、その回転ロッド２３の回転によって翼部２３２を弁体２１の大歯溝２１５に係合させて下方へ下降させる。この時、前記回転ロッド２３は、当接ロッド２４に支持されていないので、水圧によって、当接ロッド２４のヘッド部２４１が受け体３１の流水孔３１１を封止する。故に、この構成によれば、水が載置体３２の係合孔３２１を通って受け体３１と載置体３２との間に形成された空間に入り込むと、水圧によって、該載置体３２の中央部分が上昇して前記流水部材３３の凹部３３２を封止し、水を流水部材３３の通水路３３４に進入しないようにする。
【００２９】
また、図４に示すように、本考案に係る節水弁が吐水状態の時、使用者が再び押しヘッド２２５を押し上げて押圧ロッド２２を上昇させると、該押圧ロッド２２の上昇によって、押圧ロッド２２に連動して回転ロッド２３を移動させながら回転させ、翼部２３２を弁体２１の小歯溝２１６に係合させることから、上方へ移動する。尚、この時、前記回転ロッド２３は、当接ロッド２４に支持されているので、当接ロッド２４のヘッド部２４１が受け体３１の流水孔３１１から離間して、載置体３２と受け体３１との間に溜まった水が受け体３１の流水孔３１１から流れ出し、その後、載置体３２の中央の盛り上がった部分が下降して流水部材３３の凹部３３２から離間すると、封止状態を解消され、水が流水部材３３の通水路３３４から流れ出して発泡ヘッド１２の吐水孔１２２から吐水される。
【産業上の利用可能性】
【００３０】
本考案は上記の構成を有することから、載置体が水圧を受けて変形しながら流水部材を封止するが、この時、載置体はゆっくり変形するので、止水過程において発生する騒音や震動などを緩和することができると共に、使用寿命を延ばし、更には、水の流れから起こる圧力差も減少させることができる。
【符号の説明】
【００３１】
１０      ベース
１１      管体
１１１    収容孔
１１２    段差面
１１３    ネジ山
１２      発泡ヘッド
１２１    貫通孔
１２２    吐水孔
１２３    段差面
１２４    空気進入孔
２０      制御部材
２１      弁体
２１１    円環体
２１２    管体
２１３    流水孔
２１４    止め歯
２１５    大歯溝
２１６    小歯溝
２１７    吐水網体
２２      押圧ロッド
２２１    つめ歯
２２２    ガイド部
２２３    通過孔
２２４    段差面
２２５    押しヘッド
２３      回転ロッド
２３１    貫通孔
２３２    翼部
２３３    凸部
２４      当接ロッド
２４１    ヘッド部
２４２    シャフト部
３０      緩和部材
３１      受け体
３１１    流水孔
３１２    突出部
３１３    環状溝
３１４    リング
３２      載置体
３２１    係合孔
３２２    フランジ
３３      流水部材
３３１    流水貫通孔
３３２    凹部
３３３    当接凸部
３３４    通水路
３３５    環状凹部
３３６    組立歯部
３３７    調整プレート
３３８    組立凸部
３３９    濾過網体
４０      カバー
４１      保持体
４２      蓋体
【図１】
0003182863.tif 000003
【図２】
0003182863.tif 000004
【図３】
0003182863.tif 000005
【図４】
0003182863.tif 000006
【図５】
0003182863.tif 000007
【図６】
0003182863.tif 000008
【図７】
0003182863.tif 000009